(57)【要約】【課題】無駄な除湿運転または加湿運転を防止するようにした調湿装置及び空調システムを提供する。【解決手段】調湿装置（10）は、室外空気を室内に供給し、室内空気を室外に放出して加湿運転及び除湿運転を行う。そして、室内湿度が変化すると、その変化に基づいて、室内湿度が設定値となるように風量を制御する。【選択図】図１
2006343038.tif 000002
【特許請求の範囲】
【請求項１】
風量可変のファンを駆動し、室内空気を室外に放出する一方、室外空気を調湿して室内に供給し、該室内を調湿する調湿装置であって、
室内湿度の変化を検知する湿度変化検知手段（60）と、
上記湿度変化検知手段（60）における室内湿度の変化に基づいて、室内の在室者数を予測する予測手段（71）と、
上記予測手段（71）における上記在室者数に基づいて上記ファンの室内供給風量を算出し、室内に該室内供給風量を供給する風量制御手段（76）とを備えている
ことを特徴とする調湿装置。
【請求項２】
風量可変のファンを駆動し、室内空気を室外に放出する一方、室外空気を調湿して室内に供給し、該室内を調湿する調湿装置であって、
室内湿度の変化を検知する湿度変化検知手段（60）と、
室内温度の変化を検知する温度変化検知手段（80）と、
上記湿度変化検知手段（60）における室内湿度の変化と上記温度変化検知手段（80）における室内温度の変化とに基づいて、室内の在室者数を予測する予測手段（91）と、
上記予測手段（91）における上記在室者数に基づいて上記ファンの室内供給風量を算出し、室内に該室内供給風量を供給する風量制御手段（96）とを備えている
ことを特徴とする調湿装置。
【請求項３】
請求項１または２において、
上記湿度変化検知手段（60）は、運転中の一定時間における室内湿度の変化を検知するように構成されている
ことを特徴とする調湿装置。
【請求項４】
風量可変のファンを駆動し、室内空気を室外に放出する一方、室外空気を調湿して室内に供給し、該室内を調湿する調湿装置を複数備えた空調システムであって、
室内湿度の変化を検知する湿度変化検知手段（8）と、
上記湿度変化検知手段（8）における室内湿度の変化に基づいて室内の在室者数を予測して、該在室者数に基づいて算出された上記ファンの風量を室内に供給する風量制御運転を、各々の調湿装置に実行させる連動制御手段（7）とを備えている
ことを特徴とする空調システム。
【請求項５】
請求項４において、
上記連動制御手段（7）は、一部の上記調湿装置に対して上記風量制御運転を実行させ、他の一部の上記調湿装置に対して調湿空気の室内供給を停止させるように構成されている
ことを特徴とする空調システム。
【発明の詳細な説明】
【技術分野】
【０００１】
本発明は、調湿装置及び空調システムに関し、特に、省エネルギー対策に係るものである。
【背景技術】
【０００２】
従来より、室内空気を室外に放出して室外空気を室内に供給し、加湿運転及び除湿運転を行う調湿装置が知られている。
【０００３】
例えば、特許文献１には、吸着剤が水分の吸着と脱離とを行うことにより空気の湿度を調節する調湿装置が開示されている。この調湿装置は、第１の熱交換器と、第２の熱交換器と、冷媒が循環して蒸気圧縮式冷凍サイクルを行い、第１及び第２熱交換器で冷媒の凝縮と蒸発とを交互に行う冷媒回路を備えている。また、吸着剤が、第１熱交換器及び第２熱交換器の表面に担持されている。そして、上記調湿装置は、第１熱交換器において室内空気から水分を吸着すると同時に、第２熱交換器において室外空気を加湿して室内に供給する運転と、第２熱交換器において室内空気から水分を吸着すると同時に、第１熱交換器において室外空気を加湿して室内に供給する運転を交互に行い、加湿運転を行う、と記載されている。
【特許文献１】特開２００４−２９４０４８号公報
【発明の開示】
【発明が解決しようとする課題】
【０００４】
換気装置の換気風量は、室内に在室する人数によって要求する換気量が変化し、室内に在室する人数が多い際には大風量を必要とし、人数が少ない際には少ない換気風量で良い。
【０００５】
しかしながら、従来の調湿装置は、換気風量一定、つまり、ファン風量一定で運転を行っているため、室内の在室人数が少ない場合には必要以上に換気を行ってしまい、室外より外気負荷を多く持ち込んでしまうため、温度及び湿度コントロールにエネルギーを多く必要とするという問題があった。
【０００６】
本発明は、かかる点に鑑みてなされたものであり、その目的とするところは、室内の必要とする換気量に併せて適切な換気量を予測して風量制御を行うことにより、無駄な空調負荷及び調湿負荷を低減する調湿、換気、空調システムを提供することにある。
【課題を解決するための手段】
【０００７】
第１の発明は、風量可変のファンを駆動し、室内空気を室外に放出する一方、室外空気を調湿して室内に供給し、該室内を調湿する調湿装置である。そして、室内湿度の変化を検知する湿度変化検知手段（60）と、上記湿度変化検知手段（60）における室内湿度の変化に基づいて、室内の在室者数を予測する予測手段（71）と、上記予測手段（71）における上記在室者数に基づいて上記ファンの室内供給風量を算出し、室内に該室内供給風量を供給する風量制御手段（76）とを備えている。
【０００８】
本発明では、湿度変化検知手段（60）は、室内湿度の変化を検知する。湿度は、人間から発せられる場合が多く、予測手段（71）は、湿度の変化に基づいて、室内の在室者数を予測する。風量制御手段（76）は、その在室者数に基づいて室内供給風量を算出し、その風量を室内に供給する。つまり、室内湿度が上昇した場合には、予測手段（71）は、室内の在室者数が運転当初よりも増えていると予測する。そして、風量制御手段（76）は、運転当初よりも多い室内供給風量を算出して、その風量を室内に供給するように運転する。一方、室内湿度が低下した場合には、予測手段（71）は、室内の在室者数が運転当初よりも減っていると予測する。そして、風量制御手段（76）は、運転当初よりも少ない室内供給風量を算出して、その風量を室内に供給するように運転する。この結果、無駄な運転が防止される。
【０００９】
第２の発明は、風量可変のファンを駆動し、室内空気を室外に放出する一方、室外空気を調湿して室内に供給し、該室内を調湿する調湿装置である。そして、室内湿度の変化を検知する湿度変化検知手段（60）と、室内温度の変化を検知する温度変化検知手段（80）と、上記湿度変化検知手段（60）における室内湿度の変化と上記温度変化検知手段（80）における室内温度の変化とに基づいて、室内の在室者数を予測する予測手段（91）と、上記予測手段（91）における上記在室者数に基づいて上記ファンの室内供給風量を算出し、室内に該室内供給風量を供給する風量制御手段（96）とを備えている。
【００１０】
第２の発明では、湿度変化検知手段（60）は、室内湿度の変化を検知し、温度変化検知手段（80）は、室内温度の変化を検知する。湿度及び温度は、人間から発せられる場合が多く、予測手段（71）は、湿度の変化及び温度の変化に基づいて、室内の在室者数を予測する。風量制御手段（76）は、その在室者数に基づいて室内供給風量を算出し、その風量を室内に供給する。つまり、室内湿度及び室内温度が上昇した場合には、予測手段（71）は、室内の在室者数が運転当初よりも増えていると予測する。そして、風量制御手段（76）は、運転当初よりも多い室内供給風量を算出し、その風量を室内に供給するように運転する。一方、室内湿度及び室内温度が低下した場合には、予測手段（71）は、室内の在室者数が運転当初よりも減っていると予測する。そして、風量制御手段（76）は、運転当初よりも少ない室内供給風量を算出し、その風量を室内に供給するように運転する。この結果、無駄な運転が防止される。
【００１１】
第３の発明は、上記第１及び第２の発明において、上記湿度変化検知手段（60）は、運転中の一定時間における室内湿度の変化を検知するように構成されている。
【００１２】
第３の発明では、湿度変化検知手段（60）は、ある時刻での室内湿度と、その後一定時間運転後の室内湿度との変化を検知する。そして、予測手段（71）は、湿度変化検知手段（60）における室内湿度の変化に基づいて、在室者数を予測し、風量制御手段（76）は、予測手段（71）における在室者数に基づいて、室内供給風量を算出して供給する。この結果、室内の在室者数が徐々に減少した場合であっても、無駄な運転が防止される。
【００１３】
第４の発明は、風量可変のファンを駆動し、室内空気を室外に放出する一方、室外空気を調湿して室内に供給し、該室内を調湿する調湿装置を複数備えた空調システムである。そして、室内湿度の変化を検知する湿度変化検知手段（8）と、上記湿度変化検知手段（8）における室内湿度の変化に基づいて室内の在室者数が予測され、該在室者数に基づいて算出された上記ファンの風量を室内に供給する風量制御運転を、各々の調湿装置に実行させる連動制御手段（7）とを備えている。
【００１４】
第４の発明では、湿度変化検知手段（8）は、室内湿度の変化を検知する。湿度は、人間から発せられる場合が多い。連動制御手段（7）は、各調湿装置（11）に対して風量制御運転を実行させる。風量制御運転は、湿度変化検知手段（8）における室内湿度の変化に基づいて室内の在室者数が予測され、その在室者数に基づいて室内供給風量が算出され、その風量を室内に供給する運転である。つまり、室内湿度が上昇した場合には、室内の在室者数が運転当初よりも増えていると予測され、運転当初よりも多い室内供給風量が算出される。一方、室内湿度が低下した場合には、室内の在室者数が運転当初よりも減っていると予測され、運転当初よりも少ない室内供給風量が算出される。この結果、無駄な運転が防止される。
【００１５】
第５の発明は、上記第４の発明において、上記連動制御手段（7）は、一部の上記調湿装置に対して上記風量制御運転を実行させ、他の一部の上記調湿装置に対して調湿空気の室内供給を停止させるように構成されている。
【００１６】
第５の発明では、連動制御手段（7）は、一部の調湿装置に対して上記風量制御運転を実行させる一方、他の一部の調湿装置に対しては風の供給を停止させる。この結果、無駄な運転が防止される。
【発明の効果】
【００１７】
本発明によれば、室内湿度の変化に基づいて室内供給風量が制御されるため、無駄な運転を抑制することができる。この結果、省エネルギー化を図ることができる。
【００１８】
また、上記第２の発明によれば、室内湿度の変化及び室内温度の変化に基づいて室内供給風量が制御されるため、無駄な運転を防止することができる。この結果、省エネルギー化を図ることができる。
【００１９】
また、上記第３の発明によれば、運転前後における室内湿度の変化を検知できるので、無駄な運転を確実に防止することができる。
【００２０】
また、上記第４の発明によれば、室内湿度の変化に基づいて各調湿装置が室内に供給する風量を変化させることができるので、無駄な運転を抑制することができる。この結果、省エネルギー化を図ることができる。
【００２１】
また、上記第５の発明によれば、室内湿度の変化に基づいて、複数の調湿装置の一部の調湿装置が室内に供給する風量を変化させ、他の一部の調湿装置が風の供給を停止させるため、無駄な運転を抑制することができる。
【発明を実施するための最良の形態】
【００２２】
以下、本発明の実施形態を図面に基づいて詳細に説明する。
【００２３】
《発明の実施形態１》
本発明の実施形態１について説明する。本実施形態は、図１に示すように、除湿した空気を室内へ供給する除湿運転と、加湿した空気を室内へ供給する加湿運転とが可能な調湿装置に適用したものである。
【００２４】
上記調湿装置（10）は、冷媒回路（50）を備えている。この冷媒回路（50）は、第１吸着熱交換器（51）、第２吸着熱交換器（52）、圧縮機（53）、四方切換弁（54）、及び電動膨張弁（膨張機構）（55）が設けられた閉回路である。この冷媒回路（50）は、充填された冷媒を循環させることによって、蒸気圧縮冷凍サイクルを行う。
【００２５】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００２６】
上記四方切換弁（54）は、第１のポートと第３のポートが連通して第２のポートと第４のポートが連通する第１状態（図１(Ａ)に示す状態）と、第１のポートと第４のポートが連通して第２のポートと第３のポートが連通する第２状態（図１(Ｂ)に示す状態）とに切り換え可能となっている。
【００２７】
図２に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００２８】
上記各吸着熱交換器（51,52）では、各フィン（57）の表面に吸着剤が担持されており、フィン（57）の間を通過する空気がフィン（57）の表面の吸着剤と接触する。この吸着剤としては、ゼオライト、シリカゲル、活性炭、親水性の官能基を有する有機高分子材料など、空気中の水蒸気を吸着できるものが用いられる。
【００２９】
上記調湿装置（10）は、第１コントローラ（30）と第２コントローラ（70）と第３コントローラ（75）とを備えている。第１コントローラ（30）は、運転制御手段（31）を備えている一方、入力スイッチ（40）が接続されている。上記運転制御手段（31）は、室内湿度がユーザの設定した設定値となるように、加湿運転または除湿運転を制御するように構成されている。
【００３０】
上記第２コントローラ（70）は、予測手段（71）を備えている一方、湿度変化検知手段（60）が接続されている。また、第２コントローラ（70）には、図示しないが、外気温度を検出する外気温度センサと、外気湿度を検出する外気湿度センサと、室内温度を検出する室内温度センサと、室内湿度を検出する室内湿度センサから、温湿度情報が入力されている。上記湿度変化検知手段（60）は、上記室内湿度センサからの室内湿度に基づいて、室内湿度の変化を検知するように構成されている。上記予測手段（71）は、湿度変化検知手段（60）における室内湿度の変化に基づいて、室内の在室者数を予測するように構成されている。具体的には、予測手段（71）は、一定時間毎に、式（１）の計算を行うことにより、室内の在室者数を予測する。
【００３１】
Ｘ＝Ｘ0＋Ａ×（Ｒr−Ｒpre）・・・・・・・・・・・・・・・・・・・・・式（１）  ここで、Ｘは、室内の在室者数の予測値、
Ｘ0は、運転当初の室内の在室者数、または予測を行う前の室内の在室者数、          Ａは、係数、
Ｒrは、室内湿度であり、Ｒpreは、式（２）または式（３）で求められる。        
【００３２】
Ｒpre＝（Ｒta−Ｒr）×Ｂ＋Ｒr，（Ｂ＜１．０）・・・・・・・・・・・・式（２）  Ｒpre＝（Ｒ0−Ｒr）×Ｃ＋Ｒr，（Ｃ＜１．０）・・・・・・・・・・・・・式（３）  ここで、式（２）は、除湿または加湿運転時における室内湿度予測値、
式（３）は、換気運転時における室内湿度予測値であり、
Ｒtaは、目標湿度、
Ｒ0は、室外湿度である。                                                    
【００３３】
除湿運転時または加湿運転時には、目標湿度Ｒtaと室内湿度Ｒrとを式（２）に代入して、室内湿度予測値Ｒpreを算出し、その室内湿度予測値Ｒpreと室内湿度Ｒrとを式（１）に代入して室内の在室者数Ｘを予測する。
【００３４】
また、換気運転時には、室外湿度Ｒ0と室内湿度Ｒrとを式（３）に代入して、室内湿度予測値Ｒpreを算出し、その室内湿度予測値Ｒpreと室内湿度Ｒrとを式（１）に代入して室内の在室者数Ｘを予測する。
【００３５】
上記第３コントローラ（75）は、風量制御手段（76）を備えている一方、第２コントローラ（70）が接続されている。上記風量制御手段（76）は、予測手段（71）における室内の在室者数に基づいて室内供給風量を算出し、その風量を室内に供給するように構成されている。具体的には、風量制御手段（76）は、ファンの回転を制御するように構成されており、式（４）に、室内の在室者数の予測値Ｘを代入して、室内供給風量Ｗを算出する。
【００３６】
Ｗ＝Ｘ×Ｄ・・・・・・・・・・・・・・・・・・・・・・・・・・・・・・式（４）  つまり、ユーザの入力操作により、運転制御手段（31）は、室内湿度が設定値となるように加湿運転または除湿運転を行う。そして、湿度変化検知手段（60）により室内湿度の変化が検知された場合には、予測手段（71）が室内の在室者数を予測し、風量制御手段（76）がその在室者数に基づいて室内供給風量を算出して室内に供給する。具体的に、室内湿度が上昇すると、予測手段（71）は、運転当初よりも室内の在室者数が増えていると予測し、風量制御手段（76）は、その予測に基づいて、運転当初よりも多い室内供給風量を算出してその風量を供給する。よって、風量制御手段（76）は、より多くの風量を室内に供給するように、すなわち、ファンの回転を増加させるように、構成されている。一方、室内湿度が低下すると、予測手段（71）は、運転当初よりも室内の在室者数が減っていると予測し、風量制御手段（76）は、その予測に基づいて、運転当初よりも少ない室内供給風量を算出してその風量を供給する。よって、風量制御手段（76）は、より少ない風量を室内に供給するように、すなわち、ファンの回転を減少させるように、構成されている。
【００３７】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。また、上記調湿装置（10）は、除湿運転中と加湿運転中の何れにおいても、第１動作と第２動作を所定の時間間隔（例えば３分間隔）で交互に繰り返す。
【００３８】
上記調湿装置（10）は、除湿運転中であれば第１空気として室外空気（OA）を、第２空気として室内空気（RA）をそれぞれ取り込む。また、上記調湿装置（10）は、加湿運転中であれば第１空気として室内空気（RA）を、第２空気として室外空気（OA）をそれぞれ取り込む。
【００３９】
先ず、第１動作について説明する。第１動作中には、第１吸着熱交換器（51）へ第２空気が、第２吸着熱交換器（52）へ第１空気がそれぞれ送り込まれる。この第１動作では、第１吸着熱交換器（51）についての再生動作と、第２吸着熱交換器（52）についての吸着動作とが行われる。
【００４０】
図１(Ａ)に示すように、第１動作中の冷媒回路（50）では、四方切換弁（54）が第１状態に設定される。圧縮機（53）を運転すると、冷媒回路（50）内で冷媒が循環する。具体的に、圧縮機（53）から吐出された冷媒は、第１吸着熱交換器（51）で放熱して凝縮する。第１吸着熱交換器（51）で凝縮した冷媒は、電動膨張弁（55）を通過する際に減圧され、その後に第２吸着熱交換器（52）で吸熱して蒸発する。第２吸着熱交換器（52）で蒸発した冷媒は、圧縮機（53）へ吸入されて圧縮され、再び圧縮機（53）から吐出される。
【００４１】
このように、第１動作中の冷媒回路（50）では、第１吸着熱交換器（51）が凝縮器となり、第２吸着熱交換器（52）が蒸発器となる。第１吸着熱交換器（51）では、フィン（57）表面の吸着剤が伝熱管（58）内の冷媒によって加熱され、加熱された吸着剤から脱離した水分が第２空気に付与される。一方、第２吸着熱交換器（52）では、フィン（57）表面の吸着剤に第１空気中の水分が吸着され、発生した吸着熱が伝熱管（58）内の冷媒に吸熱される。
【００４２】
そして、除湿運転中であれば、第２吸着熱交換器（52）で除湿された第１空気が室内へ供給され、第１吸着熱交換器（51）から脱離した水分が第２空気と共に室外へ排出される。一方、加湿運転中であれば、第１吸着熱交換器（51）で加湿された第２空気が室内へ供給され、第２吸着熱交換器（52）に水分を奪われた第１空気が室外へ排出される。
【００４３】
次に、第２動作について説明する。第２動作中には、第１吸着熱交換器（51）へ第１空気が、第２吸着熱交換器（52）へ第２空気がそれぞれ送り込まれる。この第２動作では、第２吸着熱交換器（52）についての再生動作と、第１吸着熱交換器（51）についての吸着動作とが行われる。
【００４４】
図１(Ｂ)に示すように、第２動作中の冷媒回路（50）では、四方切換弁（54）が第２状態に設定される。圧縮機（53）を運転すると、冷媒回路（50）内で冷媒が循環する。具体的に、圧縮機（53）から吐出された冷媒は、第２吸着熱交換器（52）で放熱して凝縮する。第２吸着熱交換器（52）で凝縮した冷媒は、電動膨張弁（55）を通過する際に減圧され、その後に第１吸着熱交換器（51）で吸熱して蒸発する。第１吸着熱交換器（51）で蒸発した冷媒は、圧縮機（53）へ吸入されて圧縮され、再び圧縮機（53）から吐出される。
【００４５】
このように、冷媒回路（50）では、第２吸着熱交換器（52）が凝縮器となり、第１吸着熱交換器（51）が蒸発器となる。第２吸着熱交換器（52）では、フィン（57）表面の吸着剤が伝熱管（58）内の冷媒によって加熱され、加熱された吸着剤から脱離した水分が第２空気に付与される。一方、第１吸着熱交換器（51）では、フィン（57）表面の吸着剤に第１空気中の水分が吸着され、発生した吸着熱が伝熱管（58）内の冷媒に吸熱される。
【００４６】
そして、除湿運転中であれば、第１吸着熱交換器（51）で除湿された第１空気が室内へ供給され、第２吸着熱交換器（52）から脱離した水分が第２空気と共に室外へ排出される。一方、加湿運転中であれば、第２吸着熱交換器（52）で加湿された第２空気が室内へ供給され、第１吸着熱交換器（51）に水分を奪われた第１空気が室外へ排出される。
【００４７】
次に、風量制御について、説明する。
【００４８】
上記加湿運転時及び上記除湿運転時において、ユーザは、リモコンなどによって室内の設定湿度を入力する。この設定湿度に基づいて、運転制御手段（31）は、室内湿度が設定値となるように加湿運転または除湿運転を行う。また、換気運転時において、ユーザは、リモコンなどにより、換気運転を実行させる。
【００４９】
これらの運転中において、室内の湿度が変化すると、その変化は、湿度変化検知手段（60）により検知される。すると、予測手段（71）が、その変化に基づいて、つまり、上記式（１）及び式（２）または上記式（１）及び式（３）に基づいて、室内の在室者数を予測する。そして、風量制御手段（76）が、その在室者数に基づいて、つまり、上記式（４）に基づいて、室内供給風量を算出して、その風量を室内に供給する。
【００５０】
具体的に、室内湿度が上昇すると、人から発せられる湿度量が増加していると考えられるため、室内の在室者数は、予測手段（71）により運転当初よりも増えていると予測される。よって、室内供給風量は、風量制御手段（76）により、運転当初よりも多く算出され、算出された風量が室内に供給される。つまり、この場合、ファンの回転数を増加させる。
【００５１】
一方、室内湿度が低下すると、人から発せられる湿度量が減少していると考えられるため、室内の在室者数は、予測手段（71）により運転当初よりも減っていると予測される。よって、室内供給風量は、風量制御手段（76）により、運転当初よりも少なく算出され、算出された風量が室内に供給される。つまり、この場合、ファンの回転数を減少させる。
【００５２】
−実施形態１における効果−
本実施形態は、室内湿度が変化すると、湿度変化検知手段（60）がその変化を検知する。そして、その変化に基づいて、予測手段（71）が室内の在室者数を予測する。その在室者数に基づいて、風量制御手段（76）が室内供給風量を算出し、その風量を室内に供給する。この結果、過剰な除湿運転及び加湿運転を防止することができ、省エネルギー化を図ることができる。
【００５３】
−実施形態１における変形例−
第１変形例は、運転中の一定時間における室内湿度の変化を検知し、その変化に基づいて風量制御手段を行うように構成されたものである。
【００５４】
（第１変形例）
湿度変化検知手段（60）は、運転中の一定時間における室内湿度の変化を検知するように構成されている。
【００５５】
予測手段（71）は、湿度変化検知手段（60）における室内湿度の変化に基づいて、室内の在室者数を予測するように構成されている。室内の在室者数の予測値は、上記実施形態１における式（１）及び式（２）または式（１）及び式（３）を用いて、算出される。
【００５６】
風量制御手段（76）は、予測手段（71）における室内の在室者数に基づいて、室内供給風量を算出し、その風量を室内に供給するように構成されている。室内供給風量は、上記実施形態１における式（４）を用いて、算出される。
【００５７】
第１変形例における風量制御について、説明する。
【００５８】
上記加湿運転時及び上記除湿運転時において、ユーザは、リモコンなどによって室内の設定湿度を入力する。この設定湿度に基づいて、運転制御手段（31）は、室内湿度が設定値となるように加湿運転または除湿運転を行う。また、換気運転時において、ユーザは、リモコンなどにより、換気運転を実行させる。
【００５９】
その後、室内湿度を測定し、一定時間経過後、再度、室内湿度を測定する。このとき、室内湿度が変化していれば、湿度変化検知手段（60）によりその変化が検知され、その変化に基づいて予測手段（71）が室内の在室者数を予測する。そして、風量制御手段（76）がその在室者数に基づいて室内供給風量を算出し、その風量を室内に供給する。
【００６０】
−第１変形例における効果−
第１変形例では、運転中の一定時間における室内湿度の変化を検知し、その変化に基づいて、予測手段（71）が室内の在室者数を予測し、風量制御手段（76）がその在室者数に基づいて、室内供給風量を算出してその風量を室内に供給する。そのため、室内から徐々に人が退室した場合であっても、室内湿度の変化が検知される。この結果、第１変形例は、上記実施形態１よりも確実に風量を制御でき、省エネルギー化を更に図ることができる。
【００６１】
《発明の実施形態２》
以下に実施形態２を示す。本実施形態は、図３に示すように、室内湿度の変化と室内温度の変化とに基づいて、風量を制御する調湿装置に適用されたものである。
【００６２】
調湿装置（20）は、図３（Ａ）及び（Ｂ）に示すように、第１コントローラ（30）と第２コントローラ（90）と第３コントローラ（95）とを備えている。第１コントローラ（30）は、上記実施形態１に記載の第１コントローラ（30）と同一である。第２コントローラ（90）は、予測手段（91）を備えている一方、湿度変化検知手段（60）と温度変化検知手段（80）とが接続されている。上記温度変化検知手段（80）は、室内温度センサからの室内温度に基づいて、室内温度の変化を検知するように構成されている。上記予測手段（91）は、上記湿度変化検知手段（60）における室内湿度の変化と上記温度変化検知手段（80）における室内温度の変化とに基づいて、室内の在室者数を予測するように構成されている。具体的に、予測手段（91）は、一定時間毎に、式（５）の計算を行うことにより、室内の在室者数を予測する。
【００６３】
Ｘ＝Ｘ0＋Ａ1×（Ｒr−Ｒpre）＋Ａ2×（Ｔr−Ｔpre）・・・・・・・・・・式（５）  ここで、Ｘは、室内の在室者数の予測値、
Ｘ0は、運転当初の室内の在室者数、または予測を行う前の室内の在室者数、          Ａ1及びＡ2は、係数、
Ｒrは、室内湿度であり、Ｒpreは、式（６）または式（７）で算出され、
Ｔrは、室内温度であり、Ｔpreは、式（８）または式（９）で算出される。
【００６４】
Ｒpre＝（Ｒta−Ｒr）×Ｂ1＋Ｒr，（Ｂ1＜１．０）・・・・・・・・・・・式（６）  Ｒpre＝（Ｒ0−Ｒr）×Ｂ1＋Ｒr，（Ｂ1＜１．０）・・・・・・・・・・・・式（７）  Ｔpre＝（Ｔset−Ｔr）×Ｂ2＋Ｔr，（Ｂ2＜１．０）・・・・・・・・・・・式（８）  Ｔpre＝（Ｔ0−Ｔr）×Ｂ2＋Ｔr，（Ｂ2＜１．０）・・・・・・・・・・・・式（９）  ここで、式（６）は、除湿または加湿運転時における室内湿度予測値、
式（７）は、換気運転時における室内湿度予測値であり、
式（８）は、除湿または加湿運転時における室内温度予測値、
式（９）は、換気運転時における室内温度予測値であり、
Ｒtaは、目標湿度、
Ｒ0は、室外湿度であり、
Ｔsetは、目標温度、
Ｔ0は、室外温度である。
【００６５】
除湿運転時または加湿運転時には、目標湿度Ｒtaと室内湿度Ｒrとを式（６）に代入して、室内湿度予測値Ｒpreを算出し、目標温度Ｔsetと室内温度Ｔrとを式（８）に代入して、室内温度予測値Ｔpreを算出する。そして、室内湿度予測値Ｒpreと室内湿度Ｒrと室内温度予測値Ｔpreと室内温度Ｔrとを式（５）に代入して室内の在室者数Ｘを予測する。
【００６６】
また、換気運転時には、室外湿度Ｒ0と室内湿度Ｒrとを式（７）に代入して、室内湿度予測値Ｒpreを算出し、室外温度Ｔ0と室内温度Ｔrとを式（９）に代入して、室内温度予測値Ｔpreを算出する。そして、室内湿度予測値Ｒpreと室内湿度Ｒrと室内温度予測値Ｔpreと室内温度Ｔrとを式（５）に代入して室内の在室者数Ｘを予測する。
【００６７】
上記第３コントローラ（95）は、風量制御手段（96）を備えている一方、第２コントローラ（90）が接続されている。上記風量制御手段（96）は、予測手段（91）における室内の在室者数に基づいて室内供給風量を算出し、その風量を室内に供給するように構成されている。そして、風量制御手段（96）は、ファンの回転を制御するように構成されており、上記実施形態１における式（４）に基づいて、室内供給風量Ｗを算出する。
【００６８】
つまり、ユーザの入力操作により、運転制御手段（31）は、室内湿度が設定値となるように加湿運転または除湿運転を行う。そして、湿度変化検知手段（60）により、室内湿度の変化が検知された場合には、また、温度変化検知手段（80）により、室内温度の変化が検知された場合には、予測手段（91）が室内の在室者数を予測し、風量制御手段（96）がその在室者数に基づいて室内供給風量を算出して室内に供給する。具体的に、室内湿度及び室内温度が上昇すると、予測手段（91）は、室内の在室者数が運転当初よりも増えていると予測する。風量制御手段（96）は、その予測に基づいて、運転当初よりも多い室内供給風量を算出してその風量を供給する。
【００６９】
一方、室内湿度及び室内温度が低下すると、予測手段（91）は、室内の在室者数が運転当初よりも減っていると予測する。風量制御手段（96）は、その予測に基づいて、運転当初よりも少ない室内供給風量を算出してその風量を供給する。
【００７０】
次に、風量制御について、説明する。
【００７１】
上記加湿運転時及び上記除湿運転時において、ユーザは、リモコンなどによって室内の設定湿度を入力する。この設定湿度に基づいて、運転制御手段（31）は、室内湿度が設定値となるように加湿運転または除湿運転を行う。また、換気運転時において、ユーザは、リモコンなどにより、換気運転を実行させる。
【００７２】
これらの運転中において、室内湿度が変化すると、その変化は、湿度変化検知手段（60）により検知される。また、室内温度が変化すると、その変化は、温度変化検知手段（80）により検知される。すると、予測手段（91）が、室内湿度の変化及び室内温度の変化に基づいて、つまり、上記式（５）、（６）及び（８）または上記式（５）、（７）及び（９）に基づいて、室内の在室者数を予測する。そして、風量制御手段（96）が、その在室者数に基づいて、つまり、上記実施形態１における式（４）に基づいて、室内供給風量を算出してその風量を室内に供給する。
【００７３】
具体的に、室内湿度及び室内温度が上昇すると、各々、人から発せられる湿度量及び熱量が増加していると考えられる。そのため、室内の在室者数は、予測手段（91）により運転当初よりも増えていると予測される。よって、室内供給風量は、風量制御手段（96）により、運転当初よりも多く算出され、算出された風量が室内に供給される。つまり、この場合、ファンの回転数を増加させる。
【００７４】
一方、室内湿度や室内温度が低下すると、室内の在室者数は、予測手段（91）により運転当初よりも減っていると予測される。よって、室内供給風量は、風量制御手段（96）により、運転当初よりも少なく算出され、算出された風量が室内に供給される。つまり、この場合、ファンの回転数を減少させる。
【００７５】
−実施形態２における効果−
本実施形態は、上記実施形態１と同様に風量を制御できるため、省エネルギー化を図ることができる。
【００７６】
《発明の実施形態３》
以下に実施形態３を示す。本実施形態は、図４に示すように、複数の調湿装置（11,11,…）を備えた空調システムに適用させたものである。
【００７７】
空調システム（1）は、複数の調湿装置（11,11,…）と、第１コントローラ（2）と、第２コントローラ（6）とを備えている。
【００７８】
上記複数の調湿装置（11,11,…）は、各々、風量可変のファンを駆動し、室内空気を室外に放出する一方、室外空気を調湿して室内に供給し、室内を調湿する装置であり、上記実施形態１の調湿装置（10）と異なり、運転制御手段や風量制御手段などを備えていない。
【００７９】
上記第１コントローラ（2）は、運転制御手段（3）を備えている一方、入力手段（4）と接続されている。運転制御手段（3）は、室内湿度がユーザの設定した設定値となるように、加湿運転または除湿運転を制御するように構成されている。
【００８０】
上記第２コントローラ（6）は、連動制御手段（7）を備えている一方、湿度変化検知手段（8）と接続されている。また、第２コントローラ（6）には、図示しないが、外気温度を検出する外気温度センサと、外気湿度を検出する外気湿度センサと、室内温度を検出する室内温度センサと、室内湿度を検出する室内湿度センサから、温湿度情報が入力されている。上記湿度変化検知手段（8）は、上記室内湿度センサからの室内湿度に基づいて、室内湿度の変化を検知するように構成されている。連動制御手段（7）は、各々の調湿装置に対して、風量制御運転を実行させるように構成されている。
【００８１】
つまり、ユーザの入力操作により、運転制御手段（3）は、室内湿度が設定値となるように除湿運転または加湿運転を行う。そして、湿度変化検知手段（8）により、室内湿度の変化が検知された場合には、連動制御手段（7）が各調湿装置（11）に対して風量制御運転を実行させる。風量制御運転は、室内湿度の変化が検出された場合には、その変化に基づいて室内の在室者数が予測され、在室者数に基づいて算出された風量を室内に供給する運転モードであり、ファンの回転数を制御させて行う運転である。具体的に、風量制御運転は、上記実施形態１における式（１）、（２）及び（４）または式（１）、（３）及び（４）を用いて算出された風量を室内に供給する運転である。
【００８２】
尚、入力手段（4）及び湿度変化検知手段（8）は、空調システム（1）に備えられているとしたが、各調湿装置（11）に備えられていてもよい。
【００８３】
次に、風量制御について、説明する。
【００８４】
上記加湿運転時及び上記除湿運転時において、ユーザは、リモコンなどによって室内の設定湿度を入力する。この設定湿度に基づいて、運転制御手段（3）は、室内湿度が設定値となるように加湿運転または除湿運転を行う。また、換気運転時において、ユーザは、リモコンなどにより、換気運転を実行させる。
【００８５】
これらの運転中において、室内の湿度が変化すると、その変化は、湿度変化検知手段（8）により検知される。すると、連動制御手段（7）により、その変化に基づいて室内の在室者数が予測され、その在室者数に基づいて室内供給風量が算出され、各調湿装置（11）に対してその風量が室内に供給される。
【００８６】
具体的に、室内湿度が上昇すると、人から発せられる湿度量が増加していると考えられるため、室内の在室者数は、運転当初よりも増えていると予測される。よって、室内供給風量が運転当初よりも多く算出され、連動制御手段（7）は、各調湿装置（11）に対して算出された風量を室内に供給させる。
【００８７】
一方、室内湿度が低下すると、人から発せられる湿度量が減少していると考えられるため、室内の在室者数は、運転当初よりも減っていると予測される。よって、室内供給風量が運転当初よりも少なく算出され、連動制御手段（7）は、各調湿装置（11）に対して算出された風量を室内に供給させる。
【００８８】
−実施形態３における効果−
本実施形態は、室内湿度が変化すると、湿度変化検知手段（8）がその変化を検知し、連動制御手段（7）が各々の調湿装置（11）に対して風量制御運転を実行させる。風量制御運転は、室内湿度の変化に基づいて、室内の在室者数が予測され、その在室者数に基づいて、室内供給風量が算出され、その風量が供給される運転モードである。そのため、室内湿度が変化した場合には、連動制御手段（7）は、各調湿装置（11）に対して風量を減少させる風量制御運転を実行させる。この結果、過剰な除湿運転や加湿運転を防止することができ、省エネルギー化を図ることができる。
【００８９】
（第１変形例）
第１変形例の空調システムは、連動制御手段（7）が一部の調湿装置に対して風量制御運転を実行させ、他の一部の調湿装置に対して風の供給を停止させるように構成されたものである。
【００９０】
つまり、ユーザの入力操作により、運転制御手段（3）は、室内湿度が設定値となるように除湿運転または加湿運転を行う。そして、湿度変化検知手段（8）により、室内湿度の変化を検知した場合には、連動制御手段（7）が各調湿装置（11）を制御する。具体的に、連動制御手段（7）は、室内湿度が低下した場合には、一部の調湿装置に対して風量を減少させる風量制御運転を実行させ、他の一部の調湿装置に対して風の供給を停止させるように構成されている。また、室内湿度が上昇した場合には、一部の調湿装置に対して風量を増加させる風量制御運転を実行させるように構成されている。
【００９１】
上記風量制御運転は、ファンの回転数を制御して行う運転であり、上記実施形態３に記載の風量制御運転と略同一である。
【００９２】
上記風の供給の停止は、ファンの回転を停止させることである。
【００９３】
次に、風量制御について、説明する。
【００９４】
上記加湿運転時及び上記除湿運転時において、ユーザは、リモコンなどによって室内の設定湿度を入力する。この設定湿度に基づいて、運転制御手段は、室内湿度が設定値となるように加湿運転または除湿運転を行う。また、換気運転時において、ユーザは、リモコンなどにより、換気運転を実行させる。
【００９５】
この運転中において、室内湿度が変化すると、人が発する湿度量が変化したと考えられ、湿度変化検知手段がその変化を検知する。そして、その変化に基づいて、連動制御手段（7）が以下の制御を行う。
【００９６】
具体的に、室内湿度が上昇すると、室内の在室者数が増加したと予測され、連動制御手段（7）は、一部の調湿装置に対して風量を増加させる風量制御運転を実行させる。つまり、一部の調湿装置に対して、ファンの回転数を増加させる運転を実行させる。
【００９７】
一方、室内湿度が低下すると、室内の在室者数が減少したと予測され、連動制御手段（7）は、室内湿度の低下を抑制するために、一部の調湿装置に対しては風量を減少させる風量制御運転を実行させ、他の一部の調湿装置に対しては風の供給を停止させる。つまり、一部の調湿装置に対しては、ファンの回転数を減少させ、他の一部の調湿装置に対しては、ファンの回転を停止させる。
【００９８】
−第１変形例における効果−
第１変形例は、室内湿度が変化すると、湿度変化検知手段（8）がその変化を検知する。そして、室内湿度が低下した場合には、連動制御手段（7）が一部の調湿装置に対しては室内供給風量を減少させる運転を実行させ、他の一部の調湿装置に対しては風の供給を停止させる。また、室内湿度が増加した場合には、連動制御手段（7）が一部の調湿装置に対して室内供給風量を増加させる運転を実行させる。そのため、第１変形例は、上記実施形態１における効果と略同一の効果を奏する。
【００９９】
《その他の実施形態》
上記実施形態では、調湿装置（10）が次のように構成されていてもよい。ここでは、調湿装置（10）の変形例について説明する。
【０１００】
−第１変形例−
図５に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【０１０１】
この調湿装置（10）は、第１動作と第２動作を繰り返す。図５(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図５(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１０２】
−第２変形例−
図６に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【０１０３】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１０４】
また、上記実施形態２、上記実施形態３及び上記実施形態３の第１変形例は、各々、温度変化検知手段を備えていてもよい。
【０１０５】
また、本発明は、除湿のみを行う調湿装置、又は加湿のみを行う調湿装置に適用してもよいことは勿論である。
【０１０６】
なお、以上の実施形態は、本質的に好ましい例示であって、本発明、その適用物、あるいはその用途の範囲を制限することを意図するものではない。
【産業上の利用可能性】
【０１０７】
以上説明したように、本発明は、調湿装置及びその調湿装置を備えた空調システムに関し、特に、省エネルギー対策に係る調湿装置及び空調システムについて有用である。
【図面の簡単な説明】
【０１０８】
【図１】実施形態１の冷媒回路の構成を示す配管系統図であって、(Ａ)は第１動作中の動作を示すものであり、(Ｂ)は第２動作中の動作を示すものである。
【図２】吸着熱交換器の概略斜視図である。
【図３】実施形態２の冷媒回路の構成を示す配管系統図であって、(Ａ)は第１動作中の動作を示すものであり、(Ｂ)は第２動作中の動作を示すものである。
【図４】実施形態３の空調システムの構成を示す構成図である。
【図５】その他の実施形態の第１変形例における調湿装置の概略構成図であって、(Ａ)は第１動作中の動作を示すものであり、(Ｂ)は第２動作中の動作を示すものである。
【図６】その他の実施形態の第２変形例における調湿ユニットの概略斜視図である。
【符号の説明】
【０１０９】
1  空調システム
7  連動制御手段
8,60  湿度変化検知手段
10,11  調湿装置
71,91  予測手段
76,96  風量制御手段
80  温度変化検知手段
【図１】
2006343038.tif 000003
【図２】
2006343038.tif 000004
【図３】
2006343038.tif 000005
【図４】
2006343038.tif 000006
【図５】
2006343038.tif 000007
【図６】
2006343038.tif 000008